(57)【要約】      （修正有）【課題】集塵および空気入れ機能の両方を兼ね備えた空気充填・集塵一体型機器を提供する。【解決手段】集塵装置と、空気充填装置と、円筒体１と、を備えた空気充填・集塵一体型機器であり、集塵装置と空気充填装置が仕切板で仕切られ、互いに独立する空気通路の設計を通じて集塵および空気充填機能をそれぞれ完成し、空気充填装置の外側に放熱用の空気通路を設計しており、集塵機能を実現するだけではなく、日常の空気充填、バスケットボールの空気入れ、自転車や自動車のタイヤの空気注入などの空気充填需要の場面にも使用できる。【選択図】図１
0003233313.tif 000002
【実用新案登録請求の範囲】
【請求項１】
集塵装置と、空気充填装置と、円筒体と、を備えた空気充填・集塵一体型機器であって、
前記集塵装置は、集塵ノズルと、集塵ビンと、吸引ファンと、を備え、
前記集塵ノズルが集塵ビンに連結され、前記集塵ビンが円筒体に連結されると共に吸引ファンと連通し；
前記空気充填装置は、空気充填用インペラと、空気充填用モータと、ピストン駆動機構と、シリンダーと、を備え、
前記空気充填用インペラが空気充填用モータに接続され、前記空気充填用モータがピストン駆動機構を介して前記シリンダー内のピストンに接続され、前記シリンダーの端部にシリンダーカバーが連結され；
前記円筒体の側面に吸排気孔が対称的に穿設され、前記吸引ファンと空気充填用モータとの間に仕切板が設けられ、前記仕切板を介して吸排気孔を連通することなく左右に隣接する第１通気孔領域および第２通気孔領域に仕切り、
前記第１通気孔領域は集塵ビンに連通され、集塵装置からのろ過された空気の排出に用いられ、前記第２通気孔領域が空気充填用インペラに連通され、空気充填装置の吸気時の空気の流入に用いられ、
前記ピストン駆動機構外側のケーシングに吸気孔が穿設され、前記円筒体の端部に空気注入口が設けられ、空気注入口の一側に位置する円筒体に放熱孔が穿設され、空気充填用モータの始動時、空気充填用モータは空気充填用インペラを回転させて第２通気孔領域から空気を吸い込み、
同時に空気充填用モータがピストン駆動機構を通じてピストンをシリンダー内で往復運動させ、吸い込まれた空気の一部が空気充填装置外側の空気通路を通って流れ、
放熱孔からモータが発生した熱を排出し、他の部分が前記吸気孔からピストン駆動機構のケーシング内部に流入してシリンダーに入り、ピストンの作用においてシリンダーから流出してシリンダーカバーを経由して空気注入口から排出されること
を特徴とする、空気充填・集塵一体型機器。
【請求項２】
前記円筒体に集塵電源スイッチが設けられ、前記円筒体内に電池が設けられ、
前記電池は、空気充填用モータの上方に配置されることを特徴とする、請求項１に記載の空気充填・集塵一体型機器。
【請求項３】
前記円筒体に集塵／空気充填切替スイッチが設けられることを特徴とする、請求項１に記載の空気充填・集塵一体型機器。
【請求項４】
前記円筒体の端部に空気充填タッチパネルが設けられることを特徴とする、請求項１に記載の空気充填・集塵一体型機器。
【請求項５】
前記集塵ビン内にろ過網が設けられることを特徴とする、請求項１に記載の空気充填・集塵一体型機器。
【考案の詳細な説明】
【技術分野】
【０００１】
本考案の実施例は、清掃設備技術分野に関し、特に、空気充填・集塵一体型機器に関する。
【背景技術】
【０００２】
ポータブル掃除機は、日常生活で幅広く使用されている小型のポータブル掃除機である。原理は、ファンインペラがモータによって高速で駆動されるため、掃除機内部と外部の圧力差が大きくなり、外部のホコリ、微細なゴミなどの汚れが空気と伴に掃除機の内部に入り、ろ過によってホコリ、微細なゴミなどを集塵ビンに集めることで、環境浄化の目的を達成する。現在市販されている掃除機は、集塵機能のみで、他の複合機能がない。本考案の実施例によって提案される空気充填・集塵一体型機器は、集塵機能と空気入れ機能の両方を兼ね備え、集塵機能を実現するだけではなく、日常の空気充填、バスケットボールの空気入れ、自転車や自動車のタイヤの空気注入などの空気充填需要の場面にも使用できる。
【考案の概要】
【考案が解決しようとする課題】
【０００３】
故に、本考案の実施例は、従来の掃除機が集塵および空気入れ機能の両方を兼ね備えることができず、応用場面が限られるという問題を解決するため、空気充填・集塵一体型機器を提供する。
【課題を解決するための手段】
【０００４】
上記目的を達成するために本考案では次のような技術的手段を講じた。
【０００５】
集塵装置と、空気充填装置と、円筒体と、を備えた空気充填・集塵一体型機器であって、前記集塵装置は、集塵ノズルと、集塵ビンと、吸引ファンと、を備え、前記集塵ノズルが集塵ビンに連結され、前記集塵ビンが円筒体に連結されると共に吸引ファンと連通し；前記空気充填装置は、空気充填用インペラと、空気充填用モータと、ピストン駆動機構と、シリンダーと、を備え、前記空気充填用インペラが空気充填用モータに接続され、前記空気充填用モータがピストン駆動機構を介して前記シリンダー内のピストンに接続され、前記シリンダーの端部にシリンダーカバーが連結され；前記円筒体の側面に吸排気孔が対称的に穿設され、前記吸引ファンと空気充填用モータとの間に仕切板が設けられ、前記仕切板を介して吸排気孔を連通することなく左右に隣接する第１通気孔領域および第２通気孔領域に仕切り、前記第１通気孔領域は集塵ビンに連通され、集塵装置からのろ過された空気の排出に用いられ、前記第２通気孔領域が空気充填用インペラに連通され、空気充填装置の吸気時の空気の流入に用いられ、前記ピストン駆動機構外側のケーシングに吸気孔が穿設され、前記円筒体の端部に空気注入口が設けられ、空気注入口の一側に位置する円筒体に放熱孔が穿設され、空気充填用モータの始動時、空気充填用モータは空気充填用インペラを回転させて第２通気孔領域から空気を吸い込み、同時に空気充填用モータがピストン駆動機構を通じてピストンをシリンダー内で往復運動させ、吸い込まれた空気の一部が空気充填装置外側の空気通路を通って流れ、放熱孔からモータが発生した熱を排出し、他の部分が前記吸気孔からピストン駆動機構のケーシング内部に流入してシリンダーに入り、ピストンの作用においてシリンダーから流出してシリンダーカバーを経由して空気注入口から排出される。
【０００６】
さらに、前記円筒体に集塵電源スイッチが設けられ、前記円筒体内に電池が設けられ、前記電池は、空気充填用モータの上方に配置される。
【０００７】
さらに、前記円筒体に集塵／空気充填切替スイッチが設けられる。
【０００８】
さらに、前記円筒体の端部に空気充填タッチパネルが設けられる。
【０００９】
さらに、前記集塵ビン内にろ過網が設けられる。
【考案の効果】
【００１０】
本考案の実施例は、以下の利点を有する。
【００１１】
本考案の実施例によって提案される空気充填・集塵一体型機器は、集塵装置と、空気充填装置と、円筒体と、を備え、集塵装置と空気充填装置が仕切板で仕切られ、互いに独立する空気通路の設計を通じて集塵および空気充填機能をそれぞれ完成し、空気充填装置の外側に放熱用の空気通路を設計しており、集塵機能を実現するだけではなく、日常の空気充填、バスケットボールの空気入れ、自転車や自動車のタイヤの空気注入などの空気充填需要の場面にも使用できる。
【００１２】
以下、本考案の実施形態又は従来技術内の技術的手段を明確に説明するため、実施形態又は従来技術の描写に使用する必要がある添付図面を簡単に説明する。明らかに以下に描写する添付図面は、単なる例示であり、当業者にとって創造性の活動をしない前提で、それら添付属図面に基づいてその他の添付属図面を得ることができる。
【００１３】
本明細書に例示されている構造、比率、サイズ等は、当業者が理解と閲覧できるよう、本明細書に開示されている内容に合わせるためにのみ使用され、本考案の実施可能な条件を限定するものではないため、技術上の実質的意味がない。構造の修飾、比例関係の変更またはサイズ調整は、本考案によって生み出すことができる効果および達成できる目的に影響を与えない場合において、本考案が開示されている内容は網羅できる範囲内にあるものとする。
【図面の簡単な説明】
【００１４】
【図１】本考案の実施例１によって提供される空気充填・集塵一体型機器の構造模式図である。
【図２】本考案の実施例１によって提供される空気充填・集塵一体型機器の構造模式図である。
【図３】本考案の実施例１によって提供される空気充填・集塵一体型機器の内部構造図である。
【考案を実施するための形態】
【００１５】
以下、具体的実施例を基に本考案の実施形態を説明し、当業者は本明細書で開示される内容から本考案その他の利点および効果を容易に理解できる。説明する実施例は本考案の一部の実施例であり、全ての実施例でないことは言うまでもない。本考案中の実施例に基づいて、当業者が創造性の活動をしない前提で得られた全ての他の実施例は、いずれも本考案の保護範囲に属する。
【実施例１】
【００１６】
図１、図２および図３に示すように、本実施例によって提案される空気充填・集塵一体型機器は、集塵装置と、空気充填装置と、円筒体１と、を備えた空気充填・集塵一体型機器であって、集塵装置は、集塵ノズル２と、集塵ビン３と、吸引ファン４と、を備え、集塵ノズル２が集塵ビン３に連結され、集塵ビン３が円筒体１に連結されると共に吸引ファン４と連通し、集塵ビン３にろ過網５が設けられ；空気充填装置は、空気充填用インペラ６と、空気充填用モータ７と、ピストン駆動機構１８と、シリンダー１９と、を備え、空気充填モータ７がいくつかの位置決め支点を介して固定し、十分な空気通路のスペースを提供して放熱の空気が通り抜けられ、空気充填用インペラ６が空気充填用モータ７に接続され、空気充填用モータ７がピストン駆動機構１８を介してシリンダー１９内のピストンに接続され、シリンダー１９の端部にシリンダーカバー２０が連結される。本実施例において、ピストン駆動機構１８は、歯車駆動機構を用いて回転運動を水平往復運動に変換し、空気充填用モータ７が歯車を回転させ、歯車にピストン駆動ロッドが連結され、歯車の回転時ピストン駆動ロッドが連動してピストンの往復運動を駆動させ、吸気−排気の往復運動を実現し、シリンダー１９の吸気口と排気口には逆止弁が設けられ、空気の逆流を防ぐ。円筒体１の側面に吸排気孔９が対称的に穿設され、吸引ファン４と空気充填用モータ７との間に仕切板１５が設けられ、仕切板１５を介して吸排気孔９を連通することなく左右に隣接する第１通気孔領域１６および第２通気孔領域１７に仕切り、第１通気孔領域１６は集塵ビン３に連通され、集塵装置からのろ過された空気の排出に用いられ、第２通気孔領域１７が空気充填用インペラ６に連通され、空気充填装置の吸気時の空気の流入に用いられ、ピストン駆動機構１８外側のケーシングに吸気孔が穿設され、円筒体１の端部に空気注入口８が設けられ、空気注入口８の一側に位置する円筒体１に放熱孔１０が穿設される。吸排気孔９は、円筒体１の両側に設計され、使用者の邪魔にならず、地面のホコリに影響を与える。
【００１７】
集塵機能において、吸引ファン４が起動し、外部のホコリ、微細なゴミなどの汚れが空気と伴に集塵ノズル２から集塵ビン３に入り、ろ過網５で外部のホコリ、微細なゴミ等を集塵ビン３に収集し、ろ過後の空気は第１通気孔領域１６から排出され；空気充填機能において、空気充填用モータ７の起動時、空気充填用モータ７は空気充填用インペラ６を回転させて第２通気孔領域１７から空気を吸い込み、同時に空気充填用モータ７がピストン駆動機構１８を通じてピストンをシリンダー１９内で往復運動させ、吸い込まれた空気の一部が空気充填装置外側の空気通路を通って流れ、放熱孔１０から排出することで、モータで発生した熱を排出し、他の部分が吸気孔からピストン駆動機構１８のケーシング内部に流入してシリンダー１９に入り、ピストンの作用においてシリンダー１９から流出してシリンダーカバー２０を経由して空気注入口８から排出されてポンピングを完了する。
【００１８】
円筒体１に集塵電源スイッチ１１が設けられ、円筒体内に電池１２が設けられ、電池１２は、空気充填用モータ７の上方に配置される。円筒体１に集塵と空気充填の切替を実現するための集塵／空気充填切替スイッチ１３が設けられる。円筒体１の端部に異なる場面需要のポンピング要件を切り替えるための空気充填タッチパネル１４が設けられる。
【００１９】
本実施例によって提案される空気充填・集塵一体型機器は、集塵および空気充填機能の両方を兼ね備え、集塵装置と空気充填装置が仕切板で仕切られ、互いに独立する空気通路の設計を通じて集塵および空気充填機能をそれぞれ完成し、空気充填装置の外側に放熱用の空気通路を設計しており、集塵機能を実現するだけではなく、日常の空気充填、バスケットボールの空気入れ、自転車や自動車のタイヤの空気注入などの空気充填需要の場面にも使用できる。
【００２０】
上記では、一般的な説明および具体的実施例を使用して本考案を詳細に説明したが、本考案に基づいていくつかの修正または改善を行うことができることは、当業者にとって自明である。したがって、本考案の精神から逸脱することなく、行われたこれらの修正または改善は、本考案の保護範囲に網羅される。
【符号の説明】
【００２１】
１０  放熱孔
１  円筒体
１１  集塵電源スイッチ
１２  電池
１３  集塵／空気充填切替スイッチ
１４  空気充填タッチパネル
１５  仕切板
１６  第１通気孔領域
１７  第２通気孔領域
１８  ピストン駆動機構
１９  シリンダー
２０  シリンダーカバー
２  集塵ノズル
３  集塵ビン
４  吸引ファン
５  ろ過網
６  空気充填用インペラ
７  空気充填用モータ
８  空気注入口
９  吸排気孔
【図１】
0003233313.tif 000003
【図２】
0003233313.tif 000004
【図３】
0003233313.tif 000005